(57)【特許請求の範囲】
【請求項１】
換気扇本体の前部に設けられる方形枠状のルーバーベースと、このルーバーベースの前面側の下方部寄りに角ばったＣ形形状に突出して形成される制御回路の収納部と、この制御回路の収納部の上方側で前記ルーバーベースの枠部分より突出し形成されるパネル係合部と、このパネル係合部を介して前記ルーバーベースとの間に通風路が形成されるように設けられるルーバーパネルとを備え、前記ルーバーパネルに、前記ルーバーベースに設けたパネル係合部に係合する係合子と制御回路の収納部の外周に嵌合し係止する嵌合部および係止手段を設けたパイプ用換気扇のルーバー取付装置。
【請求項２】
ルーバーパネルの係止手段を爪で構成し、この爪が係合するようにルーバーベースの制御回路の収納部の壁部に設けられる係合孔の左右近傍にスリットを設け、係合孔を有した弾性片を形成した請求項１記載のパイプ用換気扇のルーバー取付装置。
【請求項３】
ルーバーベースの前面側の下方部寄りに突出して設けられる制御回路収納箱の外周にルーバーパネルの嵌合部を嵌合させる構成とした請求項１記載のパイプ用換気扇のルーバー取付装置。
【発明の詳細な説明】
【０００１】
【発明の属する技術分野】
本発明は、壁部等に設置される換気扇本体の前部に設けられる方形のルーバーベースに方形のルーバーパネルを取付けるパイプ用換気扇のルーバー取付装置に関する。
【０００２】
【従来の技術】
近年、環境の良化を図るため、常時換気を行う小形のパイプ用換気扇の普及に伴ない、ルーバーパネルとの間に空気流路を形成するルーバーベースに自動運転のための制御回路が収納できる収納部を形成できるようにすることに対する要求が高まってきている。
【０００３】
従来、この種のパイプ用換気扇のルーバー取付装置として図６および図７に示すものが知られていた。以下、その構成について図６および図７を参照しながら説明する。
【０００４】
図に示すように、換気扇本体（図示せず）の前部側に設けられる方形枠状のルーバーベース１０１の枠部内側に、４個の角筒状で内部に凸部１０２を有したルーバー係合部１０３をルーバーベース１０１より突出して設け、ルーバー係合部１０３の凸部１０２に係合する爪１０４を設けたルーバーパネル１０５を、ルーバーベース１０１との間に空気流路１０６が形成されるように取り付けていた。
【０００５】
【発明が解決しようとする課題】
このような従来のパイプ用換気扇のルーバー取付装置によれば、ルーバーベース１０１には４個のルーバー係合部１０３を設け、ルーバーパネル１０５を保持するように形成されているので、ルーバー係合部１０３に自動運転を行うために必要な制御回路を搭載するスペースが確保できないとともに、４個の保持面積の小さいルーバー係合部１０３によりルーバーパネル１０５を保持しているため、ルーバーパネル１０５の保持が不安定で未だ不充分であるという課題があった。
【０００６】
本発明は上記課題を解決するもので、制御回路の収納部のスペースを確保しつつ、ルーバーベースに対するルーバーパネルの係合保持を確実にすることができるパイプ用換気扇のルーバー取付装置を提供することを目的とする。
【０００７】
【課題を解決するための手段】
本発明のパイプ用換気扇のルーバー取付装置においては、換気扇本体の前部に設けられる方形枠状のルーバーベースと、このルーバーベースの前面側の下方部寄りに角ばったＣ形形状に突出して形成される制御回路の収納部と、この制御回路の収納部の上方側で前記ルーバーベースの枠部分より突出し形成されるパネル係合部と、このパネル係合部を介して前記ルーバーベースとの間に通風路が形成されるように設けられるルーバーパネルとを備え、前記ルーバーパネルに、前記ルーバーベースを設けたパネル係合部に係合する係合子と制御回路の収納部の外周に嵌合し係止する嵌合部および係止手段を設けた構成としたものである。
【０００８】
この本発明によれば、制御回路の収納部のスペースを確保しつつ、ルーバーベースに対するルーバーパネルの係合保持を確実にすることができるパイプ用換気扇のルーバー取付装置を提供することができる。
【０００９】
【発明の実施の形態】
本発明の請求項１に記載の発明は、換気扇本体の前部に設けられる方形枠状のルーバーベースと、このルーバーベースの前面側の下方部寄りに角ばったＣ形形状に突出して形成される制御回路の収納部と、この制御回路の収納部の上方側で前記ルーバーベースの枠部より突出し形成されるパネル係合部と、このパネル係合部を介して前記ルーバーベースとの間に通風路が形成されるように設けられるルーバーパネルとを備え、前記ルーバーパネルに、前記ルーバーベースに設けたパネル係合部に係合する係合子と制御回路の収納部の外周に嵌合し係止する嵌合部および係止手段を設けたパイプ用換気扇のルーバー取付装置の構成としたものであり、ルーバーベースに角ばったＣ形形状に突出させた制御回路の収納部が形成されるとともに、制御回路の収納部の外周に嵌合し係止する嵌合部と係止手段により、ルーバーベースに対するルーバーパネルの係合保持を確実にするという作用を有する。
【００１０】
以下、本発明の実施の形態について図１〜図５を参照しながら説明する。
【００１１】
（実施の形態１）
図１〜図３に示すように、ファンモータ１を有した換気扇本体２の前部に、方形枠状で、前面側の下方部寄りに角ばったＣ形形状で壁状に前方に突出し形成される制御回路の収納部３と、上方部側に枠部分より前方に突出し形成される角筒状のパネル係合部４を形成したルーバーベース５を設けている。ルーバーベース５にはパネル係合部４を介して、上方および左右に通風路６が形成されるようにルーバーパネル７が設けられている。ルーバーパネル７には、ルーバーベース５に設けたパネル係合部４の筒部内に挿入し係合される係合子８と、ルーバーパネル７の下方側外周壁とで制御回路の収納部３の外周に嵌合するほぼ角ばったＣ形形状の嵌合部１０を形成する突出リブ９と、制御回路の収納部３の壁部に設けた係合孔１１に係合する係止手段である爪１２とを設けている。
【００１２】
上記構成において、ルーバーパネル７を取付けるときには、ルーバーベース５に設けたパネル係合部４にルーバーパネル７の係合子８を挿入し、係合するとともに、ルーバーベース５に設けた制御回路の収納部３の外周にルーバーパネル７の嵌合部１０を嵌合し、爪に係号孔１１に係止して取り付けられる。このとき、ルーバーパネル７はパネル状で変形しやすく形状にばらつきがあるが、ルーバーベース５に設けた制御回路の収納部３が角ばったＣ形形状でリブ状に突出し設けられていることから、ルーバーパネル７の嵌合部１０が制御回路の収納部３に嵌合されることにより、変形したルーバーパネル７の形状が矯正されることとなる。
【００１３】
そして、運転時には、ルーバーベース５とルーバーパネル７との間に形成される通風路６より室内空気が吸い込まれ、ファンモータ１を介して室外に放出されて換気が行われる。
【００１４】
このように本発明の実施の形態１のパイプ用換気扇のルーバー取付装置によれば、ルーバーベース５にパネル係合部４と制御回路の収納部３を形成し、ルーバーパネル７に、パネル係合部４に係合する係合子８と、制御回路の収納部３の外周に嵌合する嵌合部１０、および、制御回路の収納部３と嵌合部１０を係止する爪１２を設けたので、ルーバーベース５に制御回路の収納するのに十分なスペースを形成することができるとともに、ルーバーパネル７は、ルーバーベース５に設けた面積の大きい制御回路の収納部３に嵌合部１０を介して取り付けられることにより、ルーバーパネル７の形状のばらつきが矯正されたうえで、ルーバーパネル７は確実に取り付けられる。
【００１５】
（実施の形態２）
図４に示すように、ルーバーパネル７の嵌合部１０に設けた爪１２が係合するようにルーバーベース５Ａの制御回路の収納部３Ａの壁部に設けられる係合孔１１Ａの左右近傍にスリット１４を設け、係合孔１１Ａを有した弾性片１５を形成した構成とする。
【００１６】
上記構成において、ルーバーパネル７をルーバーベース５に取り付けるとき、ルーバーパネル７の嵌合部１０に設けた爪１２が、制御回路の収納部３Ａに設けられ、弾性力を有した弾性片１５に形成された係合孔１１Ａに係止して取り付けられる。
【００１７】
このように本発明の実施の形態２のパイプ用換気扇のルーバー取付装置によれば、ルーバーパネル７に設けた爪１２が係合するルーバーベース５Ａ側に設けられる係合孔１１Ａの左右にスリット１４を設け、係合孔１１Ａを有した弾性片１５を形成したので、爪１２の係合が弾性片１５の弾性変形をともなって係合孔１１Ａに軽やかに係合されることとなり、ルーバーパネル７がルーバーベース５Ａに取り付け易くなる。
【００１８】
（実施の形態３）
図５に示すように、ルーバーベース５Ｂの下方部寄りに制御回路を収納した制御回路収納箱１６を設け、この制御回路収納箱１６の外周に嵌合する嵌合部１０Ａをルーバーパネル７Ａに設けた構成とする。
【００１９】
上記構成において、ルーバーパネル７Ａをルーバーベース５Ｂに取り付けるとき、ルーバーパネル７Ａの嵌合部１０Ａがルーバーベース５Ｂに設けられた制御回路収納箱１６の外周に嵌合して取り付けられる。
【００２０】
このように本発明の実施の形態３のパイプ用換気扇のルーバー取付装置によれば、ルーバーパネル７Ａの嵌合部１０Ａがルーバーベース５Ｂの外周に直接嵌合されてルーバーパネル７Ａが取り付けられるので、ルーバーベース５Ｂ側にルーバーパネル７Ａの嵌合部１０Ａの嵌合する部分を別個に設ける必要がなくなるとともに、ルーバーパネル７Ａの嵌合部１０Ａを直接外周に嵌合できるように制御回路収納箱１６を大きく形成することができ、大きな制御回路のスペースを確保することができる。
【００２１】
【発明の効果】
以上の実施の形態から明らかなように本発明によれば、換気扇本体の前部に設けられる方形枠状のルーバーベースと、このルーバーベースの前面側の下方部寄りに角ばったＣ形形状に突出して形成される制御回路の収納部と、この制御回路の収納部の上方側で前記ルーバーベースの枠部分より突出し形成されるパネル係合部と、このパネル係合部を介して前記ルーバーベースとの間に通風路が形成されるように設けられるルーバーパネルとを備え、前記ルーバーパネルに、前記ルーバーベースを設けたパネル係合部に係合する係合子と制御回路の収納部の外周に嵌合し係止する嵌合部および係止手段を設けたので、制御回路を収納するスペースを確保できるとともに、ルーバーパネルの形状のばらつきが矯正されたうえで、ルーバーベースに対するルーバーパネルの嵌合を確実にすることができるパイプ用換気扇のルーバー取付装置を提供することができる。
【００２２】
また、ルーバーパネルの係止手段とした爪が係合するようにルーバーベースの制御回路の収納部の壁部に設けられる係合孔の左右近傍にスリットを設け、係合孔を有した弾性片を形成したので、ルーバーパネルがルーバーベースに係合され易くなる。
【００２３】
また、ルーバーベースの下方部寄りに設けられる制御回路収納箱と、この制御回路収納箱の外周に嵌合する嵌合部を設けたルーバーパネルとを備えたので、より大きな制御回路を収納するスペースを確保することができる。
【図面の簡単な説明】
【図１】本発明の実施の形態１のパイプ用換気扇のルーバー取付装置の構成を示す分解斜視図
【図２】同パイプ用換気扇のルーバー取付装置の構成を示す斜視図
【図３】同パイプ用換気扇のルーバー取付装置の係止手段の構成を示す断面図
【図４】本発明の実施の形態２のパイプ用換気扇のルーバー取付装置の構成を示す分解斜視図
【図５】本発明の実施の形態３のパイプ用換気扇のルーバー取付装置の構成を示す分解斜視図
【図６】従来のパイプ用換気扇のルーバー取付装置の構成を示す分解斜視図
【図７】同パイプ用換気扇のルーバー取付装置のルーバーパネルの係合状態を示す断面図
【符号の説明】
２      換気扇本体
３      制御回路の収納部
３Ａ    制御回路の収納部
４      パネル係合部
５      ルーバーベース
５Ａ    ルーバーベース
５Ｂ    ルーバーベース
６      通風路
７      ルーバーパネル
７Ａ    ルーバーパネル
８      係合子
１０    嵌合部
１０Ａ  嵌合部
１１Ａ  係合孔
１２    爪
１４    スリット
１５    弾性片
１６    制御回路収納箱
【図１】
0003626870.tif 000002
【図２】
0003626870.tif 000003
【図３】
0003626870.tif 000004
【図４】
0003626870.tif 000005
【図５】
0003626870.tif 000006
【図６】
0003626870.tif 000007
【図７】
0003626870.tif 000008